【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
遊技機に対して１対１で設けられ、遊技に使用する有価価値を特定可能な遊技用記録媒体を受け付ける複数の遊技用装置と、
該遊技用装置と通信可能な管理装置と、
を備えた遊技用システムであって、
前記遊技用装置は、受け付けた前記遊技用記録媒体を特定可能な遊技用記録媒体識別情報と当該遊技用装置を特定可能な遊技用装置識別情報とを含む受付情報を前記管理装置に送信するものであり、
前記管理装置は、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記遊技用装置から送信される前記一の遊技用記録媒体の有価価値が零であることを示す情報に基づいて、該一の遊技用記録媒体に関する台移動データの集計を終了することを特徴とする遊技用システム。
【請求項２】
遊技機に対して１対１で設けられ、遊技に使用する有価価値を特定可能な遊技用記録媒体を受け付ける複数の遊技用装置と、
前記遊技用記録媒体から特定される有価価値を使用して景品と交換するための処理を行う景品交換端末と、
前記遊技用装置及び前記景品交換端末と通信可能な管理装置と、
を備えた遊技用システムであって、
前記遊技用装置は、受け付けた前記遊技用記録媒体を特定可能な遊技用記録媒体識別情報と当該遊技用装置を特定可能な遊技用装置識別情報とを含む受付情報を前記管理装置に送信するものであり、
前記管理装置は、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記景品交換端末から送信される前記一の遊技用記録媒体の有価価値が零であることを示す情報に基づいて、該一の遊技用記録媒体に関する台移動データの集計を終了することを特徴とする遊技用システム。
【請求項３】
遊技機に対して１対１で設けられ遊技に使用する有価価値を特定可能な遊技用記録媒体を受け付ける複数の遊技用装置と通信可能な管理装置であって、
前記遊技用装置が受け付けた前記遊技用記録媒体を特定可能な遊技用記録媒体識別情報と当該遊技用装置を特定可能な遊技用装置識別情報とを含む受付情報を受信し、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記遊技用装置から送信される前記一の遊技用記録媒体の有価価値が零であることを示す情報に基づいて、該一の遊技用記録媒体に関する台移動データの集計を終了することを特徴とする管理装置。
【請求項４】
遊技機に対して１対１で設けられ遊技に使用する有価価値を特定可能な遊技用記録媒体を受け付ける複数の遊技用装置、及び、前記遊技用記録媒体から特定される有価価値を使用して景品と交換するための処理を行う景品交換端末と通信可能な管理装置であって、
前記遊技用装置が受け付けた前記遊技用記録媒体を特定可能な遊技用記録媒体識別情報と当該遊技用装置を特定可能な遊技用装置識別情報とを含む受付情報を受信し、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記景品交換端末から送信される前記一の遊技用記録媒体の有価価値が零であることを示す情報に基づいて、該一の遊技用記録媒体に関する台移動データの集計を終了することを特徴とする管理装置。
【手続補正２】
【補正対象書類名】明細書
【補正対象項目名】発明の名称
【補正方法】変更
【補正の内容】
【発明の名称】遊技用システム及び管理装置
【手続補正３】
【補正対象書類名】明細書
【補正対象項目名】０００１
【補正方法】変更
【補正の内容】
【０００１】
本発明は、遊技機に対して１対１で設けられ、遊技に使用する有価価値を特定可能な遊技用記録媒体を受け付ける複数の遊技用装置と、該遊技用装置と通信可能な管理装置と、を備えた遊技用システム、及び、当該管理装置に関する。
【手続補正４】
【補正対象書類名】明細書
【補正対象項目名】０００２
【補正方法】変更
【補正の内容】
【０００２】
従来より、特許文献１や特許文献２に示すように、遊技機に対して１対１で設けられ、遊技に使用する有価価値を特定可能な遊技用記録媒体を受け付ける複数の遊技用装置と、該遊技用装置と通信可能な管理装置と、を備えた遊技用システムが知られている。
【手続補正５】
【補正対象書類名】明細書
【補正対象項目名】０００３
【補正方法】削除
【補正の内容】
【手続補正６】
【補正対象書類名】明細書
【補正対象項目名】０００５
【補正方法】変更
【補正の内容】
【０００５】
しかしながら、従来の遊技用システムでは、一の遊技用記録媒体を移動元の遊技用装置から移動先の遊技用装置に台移動した場合に、該台移動に関わる台移動データを集計することができなかった。
【手続補正７】
【補正対象書類名】明細書
【補正対象項目名】０００６
【補正方法】変更
【補正の内容】
【０００６】
本発明は、このような背景のもとになされたものであり、その目的は、一の遊技用記録媒体の台移動に関わる台移動データを集計することができるような、遊技用システム及び管理装置を提供することにある。
【手続補正８】
【補正対象書類名】明細書
【補正対象項目名】０００７
【補正方法】変更
【補正の内容】
【０００７】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
まず請求項１に係る発明は、
遊技機に対して１対１で設けられ、遊技に使用する有価価値を特定可能な遊技用記録媒体を受け付ける複数の遊技用装置と、
該遊技用装置と通信可能な管理装置と、
を備えた遊技用システムであって、
前記遊技用装置は、受け付けた前記遊技用記録媒体を特定可能な遊技用記録媒体識別情報と当該遊技用装置を特定可能な遊技用装置識別情報とを含む受付情報を前記管理装置に送信するものであり、
前記管理装置は、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記遊技用装置から送信される前記一の遊技用記録媒体の有価価値が零であることを示す情報に基づいて、該一の遊技用記録媒体に関する台移動データの集計を終了することを特徴とする遊技用システムである。
この遊技用システムによれば、管理装置において、一の遊技用記録媒体の台移動に関わる台移動データを集計することができ、また遊技者の意思により遊技を終了した場合に、台移動データの集計を終了することができる。
また請求項２に係る発明は、
遊技機に対して１対１で設けられ、遊技に使用する有価価値を特定可能な遊技用記録媒体を受け付ける複数の遊技用装置と、
前記遊技用記録媒体から特定される有価価値を使用して景品と交換するための処理を行う景品交換端末と、
前記遊技用装置及び前記景品交換端末と通信可能な管理装置と、
を備えた遊技用システムであって、
前記遊技用装置は、受け付けた前記遊技用記録媒体を特定可能な遊技用記録媒体識別情報と当該遊技用装置を特定可能な遊技用装置識別情報とを含む受付情報を前記管理装置に送信するものであり、
前記管理装置は、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記景品交換端末から送信される前記一の遊技用記録媒体の有価価値が零であることを示す情報に基づいて、該一の遊技用記録媒体に関する台移動データの集計を終了することを特徴とする遊技用システムである。
この遊技用システムによれば、管理装置において、一の遊技用記録媒体の台移動に関わる台移動データを集計することができ、また遊技者の意思により遊技を終了した場合に、台移動データの集計を終了することができる。
また請求項３に係る発明は、
遊技機に対して１対１で設けられ遊技に使用する有価価値を特定可能な遊技用記録媒体を受け付ける複数の遊技用装置と通信可能な管理装置であって、
前記遊技用装置が受け付けた前記遊技用記録媒体を特定可能な遊技用記録媒体識別情報と当該遊技用装置を特定可能な遊技用装置識別情報とを含む受付情報を受信し、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記遊技用装置から送信される前記一の遊技用記録媒体の有価価値が零であることを示す情報に基づいて、該一の遊技用記録媒体に関する台移動データの集計を終了することを特徴とする管理装置である。
この管理装置によれば、一の遊技用記録媒体の台移動に関わる台移動データを集計することができ、また遊技者の意思により遊技を終了した場合に、台移動データの集計を終了することができる。
また請求項４に係る発明は、
遊技機に対して１対１で設けられ遊技に使用する有価価値を特定可能な遊技用記録媒体を受け付ける複数の遊技用装置、及び、前記遊技用記録媒体から特定される有価価値を使用して景品と交換するための処理を行う景品交換端末と通信可能な管理装置であって、
前記遊技用装置が受け付けた前記遊技用記録媒体を特定可能な遊技用記録媒体識別情報と当該遊技用装置を特定可能な遊技用装置識別情報とを含む受付情報を受信し、
前記受付情報に基づいて、移動元である一の遊技用装置から移動先である他の遊技用装置に一の遊技用記録媒体を移動する台移動が行われたことを特定する台移動特定手段と、
前記台移動特定手段により特定された前記一の遊技用記録媒体の台移動に関わる台移動データを集計する集計手段と、を有し、
前記集計手段は、前記景品交換端末から送信される前記一の遊技用記録媒体の有価価値が零であることを示す情報に基づいて、該一の遊技用記録媒体に関する台移動データの集計を終了することを特徴とする管理装置である。
この管理装置によれば、一の遊技用記録媒体の台移動に関わる台移動データを集計することができ、また遊技者の意思により遊技を終了した場合に、台移動データの集計を終了することができる。
なお本発明は、以下の手段１〜８に掲げる発明も含む。